(57)【要約】  【課題】  フレキシブルケーブルの位置決めに新たな部品を用いずに、容易にフレキシブルケーブルの位置決めができ、作業時間を短縮できる回路基板を提供することである。  【解決手段】  回路基板２０は、複数の導線１１を封入した平板のフレキシブルケーブル１０と、導線１１の端子部１１ａ〜１１ｄが半田付けされる半田付け部２１ａ〜２１ｄと、フレキシブルケーブル１０を通す穴２２とを備え、フレキシブルケーブル１０の一方の端部形状がケーブル長方向に凸形状であり、該凸形状の突出部１０ａから端子部１１ａ〜１１ｄが露出し、穴２２の形状が半田付け部２１ａ〜２１ｄ側に突出部２２ａを有する凸形状であり、突出部１０ａが、突出部２２ａに挿嵌し、突出部２２ａの幅方向長さと、突出部１０ａの幅方向長さとの差が、端子部１１ａ〜１１ｄ間のピッチ未満である構成とする。【選択図】      図３
0003110697.tif 000002
【実用新案登録請求の範囲】
【請求項１】
複数の導線を封入した平板のフレキシブルケーブルと、
前記導線の端子部が半田付けされる半田付け部と、前記フレキシブルケーブルを通す穴
とを有する回路基板とを備えた記録媒体再生装置において、
前記フレキシブルケーブルの一方の端部形状がケーブル長方向に凸形状であり、該凸形
状の突出部から前記導線の端子部が露出し、
前記穴の形状が前記半田付け部側に突出部を有する凸形状であり、
前記フレキシブルケーブルの凸形状の突出部が、前記穴の凸形状の突出部に挿嵌し、
前記穴の凸形状の突出部の幅方向長さと、前記フレキシブルケーブルの凸形状の突出部
の幅方向長さとの差が、前記端子部間のピッチ未満であることを特徴とする記録媒体再生
装置。
【請求項２】
複数の導線を封入した平板のフレキシブルケーブルと、
前記導線の端子部が半田付けされる半田付け部と、前記フレキシブルケーブルを通す穴
とを有する回路基板とを備えた記録媒体再生装置一体型テレビにおいて、
前記フレキシブルケーブルの一方の端部形状がケーブル長方向に凸形状であり、該凸形
状の突出部から前記導線の端子部が露出し、
前記穴の形状が前記半田付け部側に突出部を有する凸形状であり、
前記フレキシブルケーブルの凸形状の突出部が、前記穴の凸形状の突出部に挿嵌し、
前記穴の凸形状の突出部の幅方向長さと、前記フレキシブルケーブルの凸形状の突出部
の幅方向長さとの差が、前記端子部間のピッチ未満であることを特徴とする記録媒体再生
装置一体型テレビ。
【請求項３】
複数の導線を封入した平板のフレキシブルケーブルにおいて、
一方の端部形状がケーブル長方向に凸形状であり、該凸形状の突出部から前記導線の端
子部が露出することを特徴とするフレキシブルケーブル。
【請求項４】
フレキシブルケーブルの端子部が半田付けされる半田付け部と、フレキシブルケーブル
を通す穴とを備えた回路基板において、
前記穴の形状が、前記半田付け部側に突出部を有する凸形状であることを特徴とする回
路基板。
【請求項５】
複数の導線を封入した平板のフレキシブルケーブルと、前記導線の端子部が半田付けさ
れる半田付け部と、前記フレキシブルケーブルを通す穴とを備えた回路基板において、
前記フレキシブルケーブルの一方の端部形状がケーブル長方向に凸形状であり、該凸形
状の突出部から前記導線の端子部が露出し、
前記穴の形状が前記半田付け部側に突出部を有する凸形状であり、
前記フレキシブルケーブルの凸形状の突出部が、前記穴の凸形状の突出部に挿嵌するこ
とを特徴とする回路基板。
【請求項６】
前記穴の凸形状の突出部の幅方向長さと、前記フレキシブルケーブルの凸形状の突出部
の幅方向長さとの差が、前記端子部間のピッチ未満であることを特徴とする請求項５記載
の回路基板。
【考案の詳細な説明】
【技術分野】
【０００１】
本考案は、フレキシブルケーブル及び回路基板とそれらを備えた機器に関し、詳しくは
フレキシブルケーブルと回路基板との接続構造に関するものである。
【背景技術】
【０００２】
近年の電子機器の小型化や高密度実装化に伴い、フレキシブルケーブルが多用される傾
向にあり、回路基板に対してフレキシブルケーブルを接続することも多い。一般に、フレ
キシブルケーブルと回路基板との接続には半田が用いられている。図５に、フレキシブル
ケーブルを半田付けした回路基板の上面図を、図６に、図５のＢ−Ｂ線断面図を示す。フ
レキシブルケーブル１００は、回路基板２００に形成された長方形の穴２２０を通って回
路基板２００の表面から裏面に導かれ、回路基板２００の半田付け部２１０ａ〜２１０ｄ
にその端子部１１０ａ〜１１０ｄが半田付けされている。
【０００３】
また、フレキシブルケーブルと回路基板との接続には様々な工夫が提案されている。例
えば、特許文献１〜３を挙げることができる。
【０００４】
特許文献１には、フレキシブルケーブルがその幅方向の両側に凸部を有し、押さえ金具
がフレキシブルケーブルの幅よりも僅かに大きい間隔をおいて対向し、外側方向へ変位可
能なバネ片を有し、この対のバネ片はそれぞれ、フレキシブルケーブルが挿入されたとき
に凸部に対応する領域に凹部を持ち、挿入されたフレキシブルケーブルの挿抜方向のがた
つきを規制する回路基板とフレキシブルケーブルとの接続構造が開示されている。
【０００５】
また特許文献２には、端子ピンの形状をネジ型にし、端子穴の穴径を嵌合させる端子ピ
ン等より１．５倍程度大きくし、フレキシブルケーブルと端子ピンの各々が該端子穴に容
易に嵌合できるようにし、上記端子ピンとフレキシブルケーブルの端子穴とを接触させる
ため、フレキシブルケーブルを長手方向に引き、端子ピンにあてて、半田等により導通を
とるように構成したフレキシブルケーブルが開示されている。
【０００６】
特許文献３には、端子の先端部を矢尻形状とし、基板には該先端部よりも小さい貫通穴
を設け、該貫通穴の周辺に半田付けランドパターンを設けたフレキシブル基板接続構体が
開示されている。
【特許文献１】特開平８−１０２３４２号公報
【特許文献２】特開平５−２４２９１９号公報
【特許文献３】特開昭６２−１２０７８号公報
【考案の開示】
【考案が解決しようとする課題】
【０００７】
通常、回路基板２００へのフレキシブルケーブル１００の接続は手作業で行われるので
、フレキシブルケーブル１００を回路基板２００の穴２２０に通しやすいように、図５に
示すように、フレキシブルケーブル１００の幅よりも回路基板２００の穴２２０の幅が広
く設計されている。そのため、作業者は回路基板２００の穴２２０を通したフレキシブル
ケーブル１００をその端子部１１０ａ〜１１０ｄが回路基板２００の半田付け部２１０ａ
〜２１０ｄに当たるように位置決めする必要がある。この位置決めは、フレキシブルケー
ブル１００の幅方向と挿入方向とに対して同時に行わなければならない。ここで、端子部
１１０ａ〜１１０ｄ間のピッチ及び半田付け部２１０ａ〜２１０ｄ間のピッチはそれぞれ
１ｍｍ程度と微小である。従って、フレキシブルケーブル１００の位置決めには時間が掛
かる。
【０００８】
これに対して、特許文献１では押さえ金具、特許文献２では端子ピン、特許文献３では
矢尻形状の端子を用いることでフレキシブルケーブルを位置決めしている。しかしながら
、位置決めするためにフレキシブルケーブルと回路基板以外に新たな部品を用いることに
なり、作業工程が増えると共にコストアップにもなる。
【０００９】
本考案は、フレキシブルケーブルの位置決め用の新たな部品を用いずに、容易にフレキ
シブルケーブルの位置決めができ、作業時間を短縮できるフレキシブルケーブルを提供す
ることを目的とする。また、該フレキシブルケーブルに対応した回路基板、該フレキシブ
ルケーブルと回路基板とを搭載した機器を提供することも目的とする。
【課題を解決するための手段】
【００１０】
上記目的を達成するために本考案のフレキシブルケーブルは、複数の導線を封入した平
板のフレキシブルケーブルにおいて、一方の端部形状がケーブル長方向に凸形状であり、
該凸形状の突出部から前記導線の端子部が露出することを特徴とする。
【００１１】
この構成によると、フレキシブルケーブルの形状に合った回路基板に接続する際に、凸
形状部分でフレキシブルケーブルが位置決めされる。
【００１２】
また本考案の回路基板は、フレキシブルケーブルの端子部が半田付けされる半田付け部
と、フレキシブルケーブルを通す穴とを備えた回路基板において、前記穴の形状が、前記
半田付け部側に突出部を有する凸形状であることを特徴とする。
【００１３】
この構成によると、回路基板の穴形状にあったフレキシブルケーブルを接続する際に、
穴でフレキシブルケーブルが位置決めされる。
【００１４】
また本考案の回路基板は、複数の導線を封入した平板のフレキシブルケーブルと、前記
導線の端子部が半田付けされる半田付け部と、前記フレキシブルケーブルを通す穴とを備
えた回路基板において、前記フレキシブルケーブルの一方の端部形状がケーブル長方向に
凸形状であり、該凸形状の突出部から前記導線の端子部が露出し、前記穴の形状が前記半
田付け部側に突出部を有する凸形状であり、前記フレキシブルケーブルの凸形状の突出部
が、前記穴の凸形状の突出部に挿嵌することを特徴とする回路基板。
【００１５】
この構成によると、フレキシブルケーブルを回路基板に接続する際に、フレキシブルケ
ーブルの突出部が穴の突出部に挿嵌されることで、フレキシブルケーブルが位置決めされ
る。
【００１６】
なお、前記穴の凸形状の突出部の幅方向長さと、前記フレキシブルケーブルの凸形状の
突出部の幅方向長さとの差が、前記端子部間のピッチ未満であることを特徴とする請求項
５記載の回路基板。
【００１７】
この構成によると、フレキシブルケーブルの突出部を穴の突出部に挿嵌させる際に僅か
な隙間が生じるので挿嵌をスムーズに行えるとともに、隙間分だけフレキシブルケーブル
が幅方向にずれても端子部は対応する半田付け部からずれることなく確実に位置決めされ
る。
【００１８】
また本考案の記録媒体再生装置は、複数の導線を封入した平板のフレキシブルケーブル
と、前記導線の端子部が半田付けされる半田付け部と、前記フレキシブルケーブルを通す
穴とを有する回路基板とを備えた記録媒体再生装置において、前記フレキシブルケーブル
の一方の端部形状がケーブル長方向に凸形状であり、該凸形状の突出部から前記導線の端
子部が露出し、前記穴の形状が前記半田付け部側に突出部を有する凸形状であり、前記フ
レキシブルケーブルの凸形状の突出部が、前記穴の凸形状の突出部に挿嵌し、前記穴の凸
形状の突出部の幅方向長さと、前記フレキシブルケーブルの凸形状の突出部の幅方向長さ
との差が、前記端子部間のピッチ未満であることを特徴とする。
【００１９】
また本考案の記録媒体再生装置一体型テレビは、複数の導線を封入した平板のフレキシ
ブルケーブルと、前記導線の端子部が半田付けされる半田付け部と、前記フレキシブルケ
ーブルを通す穴とを有する回路基板とを備えた記録媒体再生装置一体型テレビにおいて、
前記フレキシブルケーブルの一方の端部形状がケーブル長方向に凸形状であり、該凸形状
の突出部から前記導線の端子部が露出し、前記穴の形状が前記半田付け部側に突出部を有
する凸形状であり、前記フレキシブルケーブルの凸形状の突出部が、前記穴の凸形状の突
出部に挿嵌し、前記穴の凸形状の突出部の幅方向長さと、前記フレキシブルケーブルの凸
形状の突出部の幅方向長さとの差が、前記端子部間のピッチ未満であることを特徴とする
。
【００２０】
このように、本考案のフレキシブルケーブル及び回路基板は、記録媒体再生装置や記録
媒体再生装置一体型テレビに搭載することができる。
【考案の効果】
【００２１】
本考案によれば、フレキシブルケーブルの端部を凸形状にし、回路基板の穴を凸形状に
することで、フレキシブルケーブルの位置決めが確実に容易にできる。その結果、フレキ
シブルケーブルの組み付け、接続の作業時間が短縮される。また、従来のように位置決め
用の別部品を用いる必要もないので、コストアップにもならない。
【考案を実施するための最良の形態】
【００２２】
図１は、フレキシブルケーブルの上面図、図２は、回路基板の上面図、図３は、フレキ
シブルケーブルを半田付けした回路基板の上面図、図４は、図３のＡ−Ａ線断面図である
。
【００２３】
図１に示すように、フレキシブルケーブル１０は、複数（図では４本）の導線１１を軟
質樹脂で封入した平板のケーブルである。フレキシブルケーブル１０の一方の端部は、ケ
ーブル長方向に凸形状であり、この凸形状の突出部１０ａから導線１１の端子部１１ａ〜
１１ｄが露出している。突出部１０ａは、フレキシブルケーブル１０の端部の両角を切断
することで容易に形成される。図では突出部１０ａの角は直角であるが、鈍角にして突出
部１０ａにテーパをもたせてもよい。
【００２４】
図２に示すように、回路基板２０は、フレキシブルケーブル１０の端子部１１ａ〜１１
ｄが半田付けされる半田付け部２１ａ〜２１ｄと、フレキシブルケーブル１０を通す穴２
２とを備えている。穴２２は、半田付け部２１ａ〜２１ｄに向かう凸形状であり、半田付
け部２１ａ〜２１ｄ側に突出部２２ａを有している。図では突出部２２ａの角は直角であ
るが、鈍角にして突出部２２ａにテーパをもたせてもよい。
【００２５】
図３、図４に示すように、フレキシブルケーブル１０が回路基板２０に接続される。組
み立て時には、フレキシブルケーブル１０の突出部１０ａを回路基板２２の上面側から穴
２２の幅広部分に通し、次にフレキシブルケーブル１０の突出部１０ａを穴２２の突出部
２２ａに挿嵌させる。これにより、回路基板２０の縦横方向に対してフレキシブルケーブ
ル１０が固定される。その後、端子部１１ａ〜１１ｄを半田付け部２１ａ〜２１ｄにそれ
ぞれ半田２３を用いて接続する。
【００２６】
ここで、穴２２の突出部２２ａの幅方向長さＭと、フレキシブルケーブル１０の突出部
１０ａの幅方向長さＬとの差が、端子部１１ａ〜１１ｄ間のピッチ未満であることが望ま
しい。これにより、フレキシブルケーブル１０の突出部１０ａを穴２２の突出部２２ａに
挿嵌させる際に僅かな隙間が生じるので挿嵌をスムーズに行えるとともに、隙間分だけフ
レキシブルケーブル１０が幅方向にずれても端子部１１ａ〜１１ｄは対応する半田付け部
２１ａ〜２１ｄからずれることなく確実に位置決めされる。
【００２７】
このように、フレキシブルケーブル１０の端部を凸形状にし、回路基板２０の穴２２を
凸形状にすることで、フレキシブルケーブル１０の位置決めが確実に容易にできる。その
結果、フレキシブルケーブル１０の組み付け、接続の作業時間が短縮される。また、従来
のように位置決め用の別部品を用いる必要もないので、コストアップにもならない。
【００２８】
以下、フレキシブルケーブル１０及び回路基板２０の各寸法の一例を示す。ここで図１
、図２に示すように、フレキシブルケーブル１０の突出部１０ａ以外の幅方向の長さをＮ
、端子部１１ａ〜１１ｄのそれぞれの幅をＯ、フレキシブルケーブル１０の端子部１１ａ
〜１１ｄ間のピッチをＰ、回路基板２０の穴２２の突出部２２ａ以外の幅方向の長さをＱ
、半田付け部２１ａ〜２１ｄのそれぞれの幅をＲ、半田付け部２１ａ〜２１ｄ間の距離を
Ｓとする。そうすると例えば、Ｏ＝０．５ｍｍ、Ｐ＝１ｍｍ、Ｒ＝１ｍｍ、Ｓ＝１ｍｍ、
Ｎ−Ｌ＝２ｍｍ、Ｍ−Ｌ＝０．６ｍｍ、Ｑ−Ｎ＝２ｍｍとすることができる。
【００２９】
この場合、Ｎ−Ｌ＝２ｍｍ、つまりフレキシブルケーブル１０の幅に対して突出部１０
ａが両側１ｍｍずつ内側に形成されていることになるので、フレキシブルケーブル１０を
穴２２に挿嵌した場合の挿入方向の位置決めに十分な長さを有しているといえる。また、
Ｍ−Ｌ＝０．６ｍｍ、つまりフレキシブルケーブル１０の突出部１０ａと穴２２の突出部
２２ａとの幅方向の隙間が両側０．３ｍｍずつであるので、容易に挿嵌できる。更に、フ
レキシブルケーブル１０の幅方向の位置決め時にフレキシブルケーブル１０が中央からど
ちらかの方向に最大０．３ｍｍずれても、端子部１１ａ〜１１ｄと半田付け部２１ａ〜２
１ｄとは０．２ｍｍ重なり、端子部１１ａ〜１１ｄと隣の半田付け部１１ａ〜１１ｄとの
距離は０．２ｍｍ空いている。従って、端子部１１ａ〜１１ｄは対応する半田付け部２１
ａ〜２１ｄに問題なく接続される。
【産業上の利用可能性】
【００３０】
本考案のフレキシブルケーブル及び回路基板は、ビデオデッキやＣＤ、ＤＶＤ等の光デ
ィスク装置などの記録媒体再生（録画）装置や、記録媒体再生（録画）装置一体型テレビ
に搭載することができる。
【図面の簡単な説明】
【００３１】
【図１】本考案のフレキシブルケーブルの上面図である。
【図２】本考案の回路基板の上面図である。
【図３】本考案のフレキシブルケーブルを半田付けした回路基板の上面図である。
【図４】図３のＡ−Ａ線断面図である。
【図５】従来のフレキシブルケーブルを半田付けした回路基板の上面図である。
【図６】図５のＢ−Ｂ線断面図である。
【符号の説明】
【００３２】
１０    フレキシブルケーブル
１０ａ    突出部
１１    導線
１１ａ〜１１ｄ    端子部
２０    回路基板
２１ａ〜２１ｄ    半田付け部
２２    穴
２２ａ    突出部
【図１】
0003110697.tif 000003
【図２】
0003110697.tif 000004
【図３】
0003110697.tif 000005
【図４】
0003110697.tif 000006
【図５】
0003110697.tif 000007
【図６】
0003110697.tif 000008